(57)【要約】【課題】ＡＤＣ等の回路に対する信号の入力レベルの飽和を抑制することを課題とする。【解決手段】受信回路は、直列に多段接続された固定利得である複数の増幅器それぞれについて、信号の入力レベルが予め定められた閾値を超えたか否かを判定する。また、受信回路は、予め定められた閾値を超えたと判定された増幅器に対して１つ前段となる増幅器が出力する信号を利用することを示す制御信号を生成し、生成された制御信号を出力する。【選択図】図１
2011193284.tif 000002
【特許請求の範囲】
【請求項１】
直列に多段接続され、固定利得である複数の増幅器と、
前記複数の増幅器それぞれについて信号の入力水準が予め定められた閾値を超えたか否かを判定する閾値判定部と、
前記閾値判定部によって信号の入力水準が予め定められた閾値を超えたと判定された増幅器に対して１つ前段となる増幅器が出力する信号を利用することを示す制御信号を生成する制御信号生成部と
を有することを特徴とする受信回路。
【請求項２】
前記制御信号生成部によって生成された制御信号に基づいて、増幅器から出力されたアナログ信号をディジタル信号に変換する信号変換部と、
前記信号変換部によって量子化されたビット列と、前記制御信号生成部によって生成された制御信号とに基づいて、前記複数の増幅器全てによる利得を算出する利得算出部と
をさらに有することを特徴とする請求項１に記載の受信回路。
【請求項３】
直列に多段接続され、固定利得である複数の増幅器それぞれについて信号の入力水準が予め定められた閾値を超えたか否かを判定する閾値判定ステップと、
前記閾値判定ステップによって信号の入力水準が予め定められた閾値を超えたと判定された増幅器に対して１つ前段となる増幅器が出力する信号を利用することを示す制御信号を生成する制御信号生成ステップと
を含んだことを特徴とする受信方法。
【請求項４】
直列に多段接続され、固定利得である複数の増幅器と、
前記複数の増幅器それぞれについて信号の入力水準が予め定められた閾値を超えたか否かを判定する閾値判定部と、
前記閾値判定部によって信号の入力水準が予め定められた閾値を超えたと判定された増幅器に対して１つ前段となる増幅器が出力する信号を利用することを示す制御信号を生成する制御信号生成部と
を有する受信回路を備えたことを特徴とする無線通信機。
【発明の詳細な説明】
【技術分野】
【０００１】
本発明は、受信回路、受信方法及び無線通信機に関する。
【背景技術】
【０００２】
従来、携帯電話機等の無線通信機における受信回路は、一つの態様として、受信信号をベースバンド信号に変換し、ＧＣＡ（Gain  Control  Amplifier）等の可変増幅器を有するＡＧＣ（Auto  Gain  Control）回路を介して、一定の振幅にした信号を出力する。また、受信回路は、出力された信号に対してＡ／Ｄ（Analog／Digital）変換を行ない、ディジタル信号の復調処理を実行する。
【０００３】
かかるＡＧＣ回路では、例えば、ＡＧＣ回路内又はＡＤＣ（Analog  Digital  Converter）の後段のディジタル信号処理部で、振幅値をモニタしてフィードバックさせ、該ＡＧＣ回路が有するＧＣＡ等の可変増幅器の利得を一定にしている。
【先行技術文献】
【特許文献】
【０００４】
【特許文献１】特開昭５３−０９６７１６号公報
【特許文献２】特開昭６２−０２０４０８号公報
【特許文献３】特開２００６−２７０９０２号公報
【発明の概要】
【発明が解決しようとする課題】
【０００５】
しかしながら、従来技術では、ＡＤＣ等の回路に対する信号の入力レベルが飽和する場合があるという課題がある。具体的には、従来技術では、可変増幅器によって出力された信号を加算しているため、後段のＡＤＣ等の回路に対する信号の入力レベルが飽和する場合がある。
【０００６】
そこで、本願に開示する技術は、上記に鑑みてなされたものであって、ＡＤＣ等の回路に対する信号の入力レベルの飽和を抑制することが可能である受信回路、受信方法及び無線通信機を提供することを目的とする。
【課題を解決するための手段】
【０００７】
上述した課題を解決し、目的を達成するため、本願に開示する受信回路は、直列に接続され、固定利得である複数の増幅器を有する。また、受信回路は、複数の増幅器それぞれについて信号の入力水準が予め定められた閾値を超えたか否かを判定する閾値判定部を有する。また、受信回路は、閾値判定部によって信号の入力水準が予め定められた閾値を超えたと判定された増幅器に対して１つ前段となる増幅器が出力する信号を利用することを示す制御信号を生成する制御信号生成部を有する。
【発明の効果】
【０００８】
本願に開示する受信回路、受信方法及び無線通信機の一つの様態は、ＡＤＣ等の回路に対する信号の入力レベルの飽和を抑制することができるという効果を奏する。
【図面の簡単な説明】
【０００９】
【図１】図１は、実施例１に係る受信回路の構成例を示す図である。
【図２】図２は、実施例２に係る受信回路の構成例を示す図である。
【図３Ａ】図３Ａは、固定利得アンプ部に係る４段目の増幅器で信号の入力レベルがリミットする場合の１段目の増幅器における信号例を示す図である。
【図３Ｂ】図３Ｂは、固定利得アンプ部に係る４段目の増幅器で信号の入力レベルがリミットする場合の２段目の増幅器における信号例を示す図である。
【図３Ｃ】図３Ｃは、固定利得アンプ部に係る４段目の増幅器で信号の入力レベルがリミットする場合の３段目の増幅器における信号例を示す図である。
【図３Ｄ】図３Ｄは、固定利得アンプ部に係る４段目の増幅器で信号の入力レベルがリミットする場合の４段目の増幅器における信号例を示す図である。
【図４Ａ】図４Ａは、固定利得アンプ部に係る３段目の増幅器で信号の入力レベルがリミットする場合の１段目の増幅器における信号例を示す図である。
【図４Ｂ】図４Ｂは、固定利得アンプ部に係る３段目の増幅器で信号の入力レベルがリミットする場合の２段目の増幅器における信号例を示す図である。
【図４Ｃ】図４Ｃは、固定利得アンプ部に係る３段目の増幅器で信号の入力レベルがリミットする場合の３段目の増幅器における信号例を示す図である。
【図４Ｄ】図４Ｄは、固定利得アンプ部に係る３段目の増幅器で信号の入力レベルがリミットする場合の４段目の増幅器における信号例を示す図である。
【図５Ａ】図５Ａは、固定利得アンプ部に係る２段目の増幅器で信号の入力レベルがリミットする場合の１段目の増幅器における信号例を示す図である。
【図５Ｂ】図５Ｂは、固定利得アンプ部に係る２段目の増幅器で信号の入力レベルがリミットする場合の２段目の増幅器における信号例を示す図である。
【図５Ｃ】図５Ｃは、固定利得アンプ部に係る２段目の増幅器で信号の入力レベルがリミットする場合の３段目の増幅器における信号例を示す図である。
【図５Ｄ】図５Ｄは、固定利得アンプ部に係る２段目の増幅器で信号の入力レベルがリミットする場合の４段目の増幅器における信号例を示す図である。
【図６】図６は、信号の入力レベルに対する各ＬＤＣの応答例を示す図である。
【図７】図７は、実施例２に係る受信処理の流れの例を示すフローチャートである。
【図８】図８は、実施例３に係る受信回路の構成例を示す図である。
【図９】図９は、実施例３に係る受信処理の流れの例を示すフローチャートである。
【発明を実施するための形態】
【００１０】
以下に添付図面を参照して、本願に開示する受信回路、受信方法及び無線通信機の実施例を説明する。なお、以下の実施例により本発明が限定されるものではない。また、各実施例は、内容を矛盾させない範囲で適宜組み合わせることが可能である。
【実施例１】
【００１１】
図１を用いて、実施例１に係る受信回路の構成例を説明する。図１は、実施例１に係る受信回路の構成例を示す図である。例えば、図１に示すように、受信回路１は、増幅器２〜５と、閾値判定部６と、制御信号生成部７とを有する。かかる受信回路１は、例えば、携帯電話機等の無線通信機に含まれる。なお、図１では、増幅器２〜５の４つの増幅器を図示したが、増幅器の数は４つに限定されるものではない。
【００１２】
増幅器２〜５は、それぞれが直列に多段接続される。また、増幅器２〜５は、固定利得のアンプであり、入力された信号のレベルに応じて各段のアンプが飽和する。閾値判定部６は、増幅器２〜５それぞれについて信号の入力レベルが予め定められた閾値を超えたか否かを判定し、判定結果を制御信号生成部７に出力する。また、増幅器２〜５それぞれによって出力された信号は、閾値判定部６を介してスイッチ等の回路に出力される。制御信号生成部７は、閾値判定部６によって信号の入力レベルが予め定められた閾値を超えたと判定された増幅器に対して１つ前段となる増幅器が出力する信号を利用することを示す制御信号を生成し、スイッチ等の回路に出力する。
【００１３】
ここで、増幅器５が限界に達する場合を例に挙げて具体的に説明すると、増幅器２〜５は、入力された信号を増幅しつつ閾値判定部６に出力する。閾値判定部６は、増幅器２〜５それぞれについて信号の入力レベルが予め定められた閾値を超えたか否かを判定し、増幅器５が限界に達したことを制御信号生成部７に出力するとともに、該増幅器２〜５によって出力された信号をスイッチ等の回路に出力する。
【００１４】
制御信号生成部７は、閾値判定部６によって信号の入力レベルが予め定められた閾値を超えたと判定された増幅器５に対して１つ前段となる増幅器４が出力する信号を利用することを示す制御信号を生成し、スイッチ等の回路に出力する。制御信号生成部７から増幅器４を利用するための制御信号を受け付けたスイッチ等の回路は、閾値判定部６を介して増幅器４によって出力された信号を後段の処理で利用するためにスイッチングを行なう。なお、スイッチングで出力された信号は、例えば、後段のＡＤＣ（Analog  Digital  Converter）等の回路に入力される。
【００１５】
このように、受信回路１では、信号の入力レベルが限界に達した増幅器の１つ前段となる増幅器による信号の出力を利用するフィードフォワードによる回路構成とする。この結果、受信回路１は、フィードバックによる回路構成であって、可変増幅器によって出力された信号の加算に起因して、後段の回路に対する信号の入力レベルが飽和する従来技術と比較して、ＡＤＣ等の回路に対する信号の入力レベルの飽和を抑制することができる。
【実施例２】
【００１６】
［実施例２に係る受信回路の構成］
図２を用いて、実施例２に係る受信回路の構成例を説明する。図２は、実施例２に係る受信回路の構成例を示す図である。
【００１７】
例えば、図２に示すように、受信回路１００は、固定利得アンプ部１１０と、リミット判定部１２０と、制御信号生成部１３０と、スイッチセレクタ１４０と、ＡＤＣ１５０とを有する。かかる受信回路１００は、例えば、携帯電話機等の無線通信機に含まれる。
【００１８】
固定利得アンプ部１１０は、例えば、増幅器１１１〜１１４を有し、入力されたＩＱアナログ信号を各増幅器で増幅して、リミット判定部１２０に出力する。なお、図２では、増幅器１１１〜１１４の４つの増幅器を図示したが、増幅器の数は４つに限定されるものではない。
【００１９】
増幅器１１１〜１１４は、例えば、それぞれが直列に多段接続されるとともに、固定利得のアンプであり、入力された信号のレベルに応じて各段のアンプが飽和する。この増幅器１１１〜１１４は、入力されたＩＱアナログ信号を増幅して、次段の増幅器及び後述するＬＤＣ（Limit  Detector  Circuit）１２１〜１２４にそれぞれ出力する。
【００２０】
すなわち、ＩＱアナログ信号は、例えば、増幅器１１１に入力されると、該増幅器１１１によって利得倍され、次段の増幅器１１２に出力されることになる。かかる増幅器１１１〜１１４における総利得は、受信回路１００に入力された信号が最小の入力レベルである場合に、所望の出力レベルにまで増幅できる利得である。なお、増幅器１１１〜１１４は、実施例１に係る増幅器２〜５の一例である。
【００２１】
リミット判定部１２０は、例えば、増幅器１１１〜１１４それぞれに対応するＬＤＣ１２１〜１２４を有し、固定利得アンプ部１１０によって出力された信号の入力レベルがリミットしたか否かを判定する。なお、リミット判定部１２０は、実施例１に係る閾値判定部６の一例である。
【００２２】
ＬＤＣ１２１〜１２４は、例えば、増幅器１１１〜１１４それぞれによって出力された信号の入力レベルがリミットしたか否かを判定し、判定結果を制御信号生成部１３０に出力する。ＬＤＣ１２１〜１２４によるリミット判定では、例えば、信号の入力レベルが該リミット判定の基準となる所定閾値を超えた場合に、リミットしたことを示す判定信号として「Ｈ（High）」が制御信号生成部１３０に出力される。なお、ＬＤＣ１２１〜１２４によるリミット判定では、信号の入力レベルが所定閾値未満である場合に、リミットしていないことを示す判定信号として「Ｌ（Low）」が制御信号生成部１３０に出力される。また、ＬＤＣ１２１〜１２４は、増幅器１１１〜１１４それぞれによって出力された信号をスイッチセレクタ１４０に出力する。
【００２３】
制御信号生成部１３０は、例えば、ＬＤＣ１２１〜１２４それぞれによって出力されたリミット判定信号に基づき、リミットしたと判定された増幅器に対して１つ前段となる増幅器が出力する信号を利用することを示す制御信号を生成する。そして、制御信号生成部１３０は、生成された制御信号をスイッチセレクタ１４０に出力する。すなわち、制御信号生成部１３０は、ＡＤＣ１５０への信号が入力レベル内に収まるようにするために、リミット判定部１２０からのリミット判定信号「Ｈ」が出力された１つ前段の増幅器の出力を選択する制御信号をスイッチセレクタ１４０に出力する。なお、制御信号生成部１３０は、実施例１に係る制御信号生成部７の一例である。
【００２４】
スイッチセレクタ１４０は、例えば、制御信号生成部１３０によって出力された制御信号に基づいて、ＬＤＣ１２１〜１２４を介して出力された固定利得アンプ部１１０からの信号のスイッチングを行ない、ＡＤＣ１５０に出力する。ＡＤＣ１５０は、例えば、スイッチセレクタ１４０によって出力された信号をＡ／Ｄ変換する。
【００２５】
［固定利得アンプ部における信号］
次に、図３Ａ〜３Ｄ、図４Ａ〜４Ｄ及び図５Ａ〜５Ｄを用いて、固定利得アンプ部１１０における信号を説明する。図３Ａ〜３Ｄは、固定利得アンプ部１１０に係る４段目の増幅器で信号の入力レベルがリミットする場合の各段の増幅器における信号例を示す図である。また、図４Ａ〜４Ｄは、固定利得アンプ部１１０に係る３段目の増幅器で信号の入力レベルがリミットする場合の各段の増幅器における信号例を示す図である。また、図５Ａ〜５Ｄは、固定利得アンプ部１１０に係る２段目の増幅器で信号の入力レベルがリミットする場合の各段の増幅器における信号例を示す図である。なお、各図における直線は、閾値を示している。
【００２６】
例えば、増幅器１１１によって出力された信号が図３Ａに示す信号波形である場合に、ＬＤＣ１２１は、制御信号生成部１３０に対してリミット判定信号「Ｌ」を出力する。また、増幅器１１２によって出力された信号が図３Ｂに示す信号波形である場合に、ＬＤＣ１２２は、制御信号生成部１３０に対してリミット判定信号「Ｌ」を出力する。また、増幅器１１３によって出力された信号が図３Ｃに示す信号波形である場合に、ＬＤＣ１２３は、制御信号生成部１３０に対してリミット判定信号「Ｌ」を出力する。また、増幅器１１４によって出力された信号が図３Ｄに示す信号波形である場合に、ＬＤＣ１２４は、該信号波形が閾値を超えてリミットしているため、制御信号生成部１３０に対してリミット判定信号「Ｈ」を出力する。要するに、制御信号生成部１３０は、ＬＤＣ１２４からリミット判定信号「Ｈ」を受け付けると、増幅器１１４の１つ前段である増幅器１１３の信号を利用することを示す制御信号を生成して、スイッチセレクタ１４０に出力する。
【００２７】
例えば、増幅器１１１によって出力された信号が図４Ａに示す信号波形である場合に、ＬＤＣ１２１は、制御信号生成部１３０に対してリミット判定信号「Ｌ」を出力する。また、増幅器１１２によって出力された信号が図４Ｂに示す信号波形である場合に、ＬＤＣ１２２は、制御信号生成部１３０に対してリミット判定信号「Ｌ」を出力する。また、増幅器１１３によって出力された信号が図４Ｃに示す信号波形である場合に、ＬＤＣ１２３は、該信号波形が閾値を超えてリミットしているため、制御信号生成部１３０に対してリミット判定信号「Ｈ」を出力する。また、増幅器１１４によって出力された信号が図４Ｄに示す信号波形である場合に、ＬＤＣ１２４は、該信号波形が閾値を超えてリミットしているため、制御信号生成部１３０に対してリミット判定信号「Ｈ」を出力する。要するに、制御信号生成部１３０は、ＬＤＣ１２３及びＬＤＣ１２４からリミット判定信号「Ｈ」を受け付けると、増幅器１１３の１つ前段である増幅器１１２の信号を利用することを示す制御信号を生成して、スイッチセレクタ１４０に出力する。
【００２８】
例えば、増幅器１１１によって出力された信号が図５Ａに示す信号波形である場合に、ＬＤＣ１２１は、制御信号生成部１３０に対してリミット判定信号「Ｌ」を出力する。また、増幅器１１２によって出力された信号が図５Ｂに示す信号波形である場合に、ＬＤＣ１２２は、該信号波形が閾値を超えてリミットしているため、制御信号生成部１３０に対してリミット判定信号「Ｈ」を出力する。また、増幅器１１３によって出力された信号が図５Ｃに示す信号波形である場合に、ＬＤＣ１２３は、該信号波形が閾値を超えてリミットしているため、制御信号生成部１３０に対してリミット判定信号「Ｈ」を出力する。また、増幅器１１４によって出力された信号が図５Ｄに示す信号波形である場合に、ＬＤＣ１２４は、該信号波形が閾値を超えてリミットしているため、制御信号生成部１３０に対してリミット判定信号「Ｈ」を出力する。要するに、制御信号生成部１３０は、ＬＤＣ１２２、ＬＤＣ１２３及びＬＤＣ１２４からリミット判定信号「Ｈ」を受け付けると、増幅器１１２の１つ前段である増幅器１１１の信号を利用することを示す制御信号を生成して、スイッチセレクタ１４０に出力する。
【００２９】
［信号の入力レベルに対するＬＤＣの応答］
次に、図６を用いて、信号の入力レベルに対する各ＬＤＣの応答を説明する。図６は、信号の入力レベルに対する各ＬＤＣの応答例を示す図である。なお、図６では、各増幅器の利得を２０ｄＢｍ刻みとしているが、該利得は利用される機器によって変わるものである。ここでは、受信回路１００に入力される受信信号の入力レベルが「−４５ｄＢｍ」以上、「−４５ｄＢｍ〜−６５ｄＢｍ」、「−６５ｄＢｍ〜−８５ｄＢｍ」及び「−８５ｄＢｍ」以下である場合を説明する。
【００３０】
例えば、図６に示すように、「−４５ｄＢｍ」以上である場合には、ＬＤＣ１２１はリミット判定信号「Ｌ」を、ＬＤＣ１２２はリミット判定信号「Ｈ」を、ＬＤＣ１２３はリミット判定信号「Ｈ」を、ＬＤＣ１２４はリミット判定信号「Ｈ」を出力する。このとき、ＡＤＣ１５０に信号を入力するスイッチセレクタ１４０によるスイッチングでは、ＬＤＣ１２１に接続される。
【００３１】
また、「−４５ｄＢｍ〜−６５ｄＢｍ」である場合には、ＬＤＣ１２１はリミット判定信号「Ｌ」を、ＬＤＣ１２２はリミット判定信号「Ｌ」を、ＬＤＣ１２３はリミット判定信号「Ｈ」を、ＬＤＣ１２４はリミット判定信号「Ｈ」を出力する。このとき、ＡＤＣ１５０に信号を入力するスイッチセレクタ１４０によるスイッチングでは、ＬＤＣ１２２に接続される。
【００３２】
また、「−６５ｄＢｍ〜−８５ｄＢｍ」である場合には、ＬＤＣ１２１はリミット判定信号「Ｌ」を、ＬＤＣ１２２はリミット判定信号「Ｌ」を、ＬＤＣ１２３はリミット判定信号「Ｌ」を、ＬＤＣ１２４はリミット判定信号「Ｈ」を出力する。このとき、ＡＤＣ１５０に信号を入力するスイッチセレクタ１４０によるスイッチングでは、ＬＤＣ１２３に接続される。
【００３３】
また、「−８５ｄＢｍ」以下である場合には、ＬＤＣ１２１はリミット判定信号「Ｌ」を、ＬＤＣ１２２はリミット判定信号「Ｌ」を、ＬＤＣ１２３はリミット判定信号「Ｌ」を、ＬＤＣ１２４はリミット判定信号「Ｌ」を出力する。このとき、ＡＤＣ１５０に信号を入力するスイッチセレクタ１４０によるスイッチングでは、ＬＤＣ１２４に接続される。
【００３４】
［実施例２に係る受信処理］
次に、図７を用いて、実施例２に係る受信処理を説明する。図７は、実施例２に係る受信処理の流れの例を示すフローチャートである。
【００３５】
例えば、図７に示すように、受信回路１００は、信号の受信が開始されると（ステップＳ１０１肯定）、該受信回路１００の各部に電源が供給され、固定利得である増幅器１１１〜１１４それぞれによって信号が増幅される（ステップＳ１０２）。なお、受信回路１００は、信号の受信が開始されない場合に（ステップＳ１０１否定）、該信号の受信待ちの状態となる。
【００３６】
そして、受信回路１００は、ＬＤＣ１２１〜１２４において増幅器１１１〜１１４のリミット判定処理を実行し、リミット判定信号を制御信号生成部１３０に出力する（ステップＳ１０３）。続いて、受信回路１００は、制御信号生成部１３０において増幅器１１１〜１１４から出力された信号のうち何れの信号を利用するかを示す制御信号をスイッチセレクタ１４０に出力する（ステップＳ１０４）。
【００３７】
その後、受信回路１００は、スイッチセレクタ１４０によるスイッチングで出力された信号を、ＡＤＣ１５０においてＡ／Ｄ変換し（ステップＳ１０５）、信号の受信が終了したか否かを判定する（ステップＳ１０６）。そして、受信回路１００は、信号の受信が終了した場合に（ステップＳ１０６肯定）、処理を終了して各部への電源供給を停止する。一方、受信回路１００は、信号の受信が終了していない場合に（ステップＳ１０６否定）、ステップＳ１０３の処理を実行してフィードバックする。
【００３８】
［実施例２による効果］
上述したように、受信回路１００は、多段構成による増幅器において、信号の出力が所定閾値以上であることからリミットしたと判定された増幅器の１つ前段となる増幅器の出力を利用することを示す制御信号を生成する。この結果、受信回路１００は、ＡＤＣ等の回路に対する信号の入力レベルの飽和を抑制することができる。
【００３９】
また、受信回路１００は、フィードフォワードによる回路構成とするので、フィードバックによる回路構成であるためにＡＧＣの収束時間、ＡＧＣの所望振幅への収束精度及び高利得可変幅等の確保で回路規模が増大する従来技術と比較して、コストを削減できる。
【００４０】
また、近年におけるＳｕｐｅｒ３Ｇシステム等に係る受信回路は、高速に処理を行なうことが望まれており、フィードバックによる回路構成では対応が困難であるとともに、回路の複雑化及び回路規模の増大が考えられる。これに対して、受信回路１００は、フィードフォワードによる回路構成において、後段のＡＤＣ１５０の入力レベルの飽和を抑制するので、高速処理、回路の簡易化及び回路規模の削減を実現することができる。
【実施例３】
【００４１】
ところで、受信回路を有する無線通信機は、該受信回路に入力された信号のレベルを基地局等のアクセスポイントに通知して、送信回路等の送信側で出力するパワーを決定している。このため、受信回路では、多段に接続された増幅器によるトータルの利得を算出することで信号のレベルを算出する。そこで、実施例３では、信号のレベルを算出する受信回路について説明する。
【００４２】
［実施例３に係る受信回路の構成］
図８を用いて、実施例３に係る受信回路の構成を説明する。図８は、実施例３に係る受信回路の構成例を示す図である。なお、図８では、実施例２に係る受信回路１００と同様の機能については同一の符号を付している。以下では、実施例２に係る受信回路１００と同様の処理についてはその説明を省略し、特に、ＢＢ（BaseBand）部２６０による処理について説明する。
【００４３】
例えば、図８に示すように、受信回路２００は、固定利得アンプ部１１０と、リミット判定部１２０と、制御信号生成部１３０と、スイッチセレクタ１４０と、ＡＤＣ１５０と、ＢＢ部２６０とを有する。かかる受信回路２００は、例えば、携帯電話機等の無線通信機に含まれる。
【００４４】
制御信号生成部１３０は、例えば、利用する増幅器を示す制御信号をスイッチセレクタ１４０に対して出力するとともに、該制御信号をＢＢ部２６０に対してもさらに出力する。ＡＤＣ１５０は、例えば、スイッチセレクタ１４０によって出力された信号をＡ／Ｄ変換して、ＢＢ部２６０に出力する。
【００４５】
ＢＢ部２６０は、例えば、ＡＤＣ１５０によって量子化されたビット列と、制御信号生成部１３０によって出力された制御信号とに基づいて、増幅器１１１〜１１４全てによる利得を算出する。ここで、増幅器１１１〜１１４が、図３Ａ〜３Ｄに示す信号波形である場合の利得の算出を説明する。図３Ａ〜３Ｄに示す信号波形である場合には、３段目である増幅器１１３の出力がＡＤＣ１５０からＢＢ部２６０に通知される。また、同様に、図３Ａ〜３Ｄに示す信号波形である場合には、３段目である増幅器１１３を利用することを示す制御信号が制御信号生成部１３０からＢＢ部２６０に通知される。
【００４６】
制御信号生成部１３０による制御信号の通知では、増幅器１１１〜１１４を１段目〜４段目とすると、各段をビット化して通知される。本願では、一例として増幅器を４つ有する構成としているため、２ビットで通知すれば良いが、３ビットにすることで拡張性をもたせることもできる。ここでは、２ビットで通知する場合を説明する。
【００４７】
すなわち、制御信号生成部１３０は、１段目「００」、２段目「０１」、３段目「１０」及び４段目「１１」のうち、３段目を利用することを示す「１０」をＢＢ部２６０に通知する。また、ＢＢ部２６０は、制御信号生成部１３０から３段目を示す「１０」が通知されると、トータルの利得である増幅器１１１〜１１３の総合利得を算出する。
【００４８】
かかる総合利得の算出において各段の利得が「２０ｄＢ」である場合を例に挙げると、ＢＢ部２６０は、飽和している増幅器１１１及び１１２の利得「２０＋２０＝４０ｄＢ」を算出する。また、ＢＢ部２６０は、増幅器１１３による出力信号がＡＤＣ１５０で正規化された出力を「１２８（ｄ）」（ＡＤ分解能が８ビットである場合）とすると、該増幅器１１３による出力の１／２となる。すなわち、ＢＢ部２６０は、増幅器１１３の利得「２０×１／２＝１０ｄＢ」を算出する。これらの結果、ＢＢ部２６０は、増幅器１１１〜１１３の総合利得「５０ｄＢ」を算出する。
【００４９】
［実施例３に係る受信処理］
次に、図９を用いて、実施例３に係る受信処理を説明する。図９は、実施例３に係る受信処理の流れの例を示すフローチャートである。
【００５０】
例えば、図９に示すように、受信回路２００は、信号の受信が開始されると（ステップＳ２０１肯定）、該受信回路２００の各部に電源が供給され、固定利得である増幅器１１１〜１１４それぞれによって信号が増幅される（ステップＳ２０２）。なお、受信回路２００は、信号の受信が開始されない場合に（ステップＳ２０１否定）、該信号の受信待ちの状態となる。
【００５１】
そして、受信回路２００は、ＬＤＣ１２１〜１２４において増幅器１１１〜１１４のリミット判定処理を実行し、リミット判定信号を制御信号生成部１３０に出力する（ステップＳ２０３）。続いて、受信回路２００は、制御信号生成部１３０において増幅器１１１〜１１４から出力された信号のうち何れの信号を利用するかを示す制御信号をスイッチセレクタ１４０に出力する（ステップＳ２０４）。このとき、制御信号生成部１３０は、ＢＢ部２６０に対しても同様の制御信号を出力する。
【００５２】
その後、受信回路２００は、スイッチセレクタ１４０によるスイッチングで出力された信号を、ＡＤＣ１５０においてＡ／Ｄ変換する（ステップＳ２０５）。そして、受信回路２００は、ＢＢ部２６０において増幅器１１１〜１１４の受信レベルを算出し（ステップＳ２０６）信号の受信が終了したか否かを判定する（ステップＳ２０７）。このとき、受信回路２００は、信号の受信が終了した場合に（ステップＳ２０７肯定）、処理を終了して各部への電源供給を停止する。一方、受信回路２００は、信号の受信が終了していない場合に（ステップＳ２０７否定）、ステップＳ２０３の処理を実行してフィードバックする。
【００５３】
［実施例３による効果］
上述したように、受信回路２００は、利用される増幅器を示す制御信号と、ＡＤＣ１５０によって量子化されたビット列とに基づいて、多段接続された複数の増幅器による総合利得を算出するので、送信回路等によって出力するパワーを高精度に決定できる。
【実施例４】
【００５４】
さて、これまで本願に開示する受信回路の実施例について説明したが、上述した実施例以外にも種々の異なる形態にて実施されてよいものである。そこで、「装置の構成」において異なる実施例を説明する。
【００５５】
［装置の構成］
上記文書中や図面中等で示した処理手順、制御手順、具体的名称、各種のデータやパラメータ等を含む情報（例えば、「固定利得アンプ部１１０」や「リミット判定部１２０」の処理部の数等）については、特記する場合を除いて任意に変更することができる。すなわち、固定利得アンプ部１１０やリミット判定部１２０に含まれる増幅器やＬＤＣの数は、無線通信機等の機器の用途や仕様等によって異なる。
【００５６】
また、図示した無線基地局の各構成要素は、機能概念的なものであり、必ずしも物理的に図示の如く構成されていることを要しない。すなわち、各装置の分散・統合の具体的形態は、図示のものに限られず、その全部又は一部を各種の負担や使用状況などに応じて、任意の単位で機能的または物理的に分散・統合することができる。例えば、上記実施例１〜３では、受信回路に入力される信号を最初に増幅する増幅器がリミットしないことを想定して説明したが、該増幅器がリミットする場合を考慮し、増幅器を介さずにスイッチ又はＡＤＣ等の回路に信号を直接入力する構成にしても良い。また、上記実施例１〜３で示した受信回路は、携帯電話機等の無線通信機に含まれていても良い。
【符号の説明】
【００５７】
１００，２００  受信回路
１１０          固定利得アンプ部
１１１〜１１４  増幅器
１２０          リミット判定部
１２１〜１２４  ＬＤＣ
１３０          制御信号生成部
１４０          スイッチセレクタ
１５０          ＡＤＣ
２６０          ＢＢ部
【図１】
2011193284.tif 000003
【図２】
2011193284.tif 000004
【図３Ａ】
2011193284.tif 000005
【図３Ｂ】
2011193284.tif 000006
【図３Ｃ】
2011193284.tif 000007
【図３Ｄ】
2011193284.tif 000008
【図４Ａ】
2011193284.tif 000009
【図４Ｂ】
2011193284.tif 000010
【図４Ｃ】
2011193284.tif 000011
【図４Ｄ】
2011193284.tif 000012
【図５Ａ】
2011193284.tif 000013
【図５Ｂ】
2011193284.tif 000014
【図５Ｃ】
2011193284.tif 000015
【図５Ｄ】
2011193284.tif 000016
【図６】
2011193284.tif 000017
【図７】
2011193284.tif 000018
【図８】
2011193284.tif 000019
【図９】
2011193284.tif 000020